(57)【特許請求の範囲】
【請求項１】
丸棒またはパイプからなる支持体に位置決めされて固定されるラペット支持部、及びこのラペット支持部によって揺動範囲が規制されるラペット可動部を有するラペットにおいて、
前記ラペット支持部は、前記支持体に嵌挿される一対の円環状部と該円環状部同士を接続している板状部と前記ラペット可動部の揺動範囲を規制するための凸部とをプレス成形により有し、前記円環状部と前記板状部はコ字状に一体成形されるとともに前記板状部に貫通孔が形成され、
前記板状部内面と前記支持体外周面との隙間で且つ前記貫通孔と対応する位置にナットが回転しない状態で配置され、
該ナットにねじを螺合して締め付けることにより、前記ラペット支持部を前記支持体に固定してなることを特徴とするラペット。
【請求項２】
前記ナットに螺合されたねじの頭部が前記貫通孔の周縁とほぼ同じ高さとなるように構成されている請求項１記載のラペット。
【発明の詳細な説明】
【０００１】
【発明の属する技術分野】
本発明は、精紡機、撚糸機、或いは延伸撚機等に使用されるラペットに関するものである。
【０００２】
【従来の技術】
従来、精紡機に使用されているラペットの一例を図６に示す。同図（ａ）はラペットをその下方から見上げたものであり、同図（ｂ）は見下ろしたものである。両図において、ラペット５０は、ラペット取付用パイプ５１に対して揺動するラペット可動部５２と固定式の支持部５３とから主として構成されている。ラペット可動部５２の先端側にはスネールワイヤ５４が備えられ、後端側には一対の円環状部５５が形成され、それら円環状部５５の間に、上記支持部５３が挟まれた状態となっている。この支持部５３には、揺動範囲を規制する爪部５６及び５７が突出形成されており、これら爪部５６及び５７の範囲内でラペット可動部５２が揺動できるようになっている。また、支持部５３はタップが切られた隆起部分５８を有し、そのタップにねじ５９を螺合させて締め付けることにより、支持部５３をラペット取付用パイプ５１に固定することができるようになっている。
なお、ラペット先端側に備えられているボルト６０及びナット６１は、スネールワイヤ５４の繰り出し量を調節するためのものである。
【０００３】
【発明が解決しようとする課題】
しかしながら、上記した従来のラペットの構成では、支持部５３が鋳物等の無垢材から構成されており、しかも個々にタップ立て加工及び穴仕上げ加工が必要となるため、ラペットの製作に手間がかかるとともに、コストが高くなるという問題があった。
【０００４】
本発明は以上のような従来のラペットにおける課題を考慮してなされたものであり、容易に製作することができ、コストダウンを図ることのできるラペットを提供するものである。
【０００５】
【課題を解決するための手段】
本発明は、丸棒またはパイプからなる支持体に位置決めされて固定されるラペット支持部、及びこのラペット支持部によって揺動範囲が規制されるラペット可動部を有するラペットにおいて、ラペット支持部は、支持体に嵌挿される一対の円環状部と該円環状部同士を接続している板状部とラペット可動部の揺動範囲を規制するための凸部とをプレス成形により有し、円環状部と板状部はコ字状に一体成形されるとともに板状部に貫通孔が形成され、板状部内面と支持体外周面との隙間で且つ貫通孔と対応する位置にナットが回転しない状態で配置され、該ナットにねじを螺合して締め付けることにより、ラペット支持部を支持体に固定してなることを特徴とするラペットである。
【０００６】
また、本発明は、ナットに螺合されたねじの頭部が貫通孔の周縁とほぼ同じ高さとなるように構成されているラペットである。
【０００７】
本発明において、上記ナットとは、市販されているＪＩＳ規格の六角ナットまたは四角ナットを使用することができる。このように規格品のナットを用いてラペット支持部を固定する構成によれば、タップ立て加工及び穴仕上げ加工が不要となり、ラペットを安価に製造することができる。
【０００８】
また、上記ラペット支持部は、鋼板または樹脂で構成することができ、前者の構成では鋼板をプレス成形することによって、また、後者の場合ではプラスチックを成形することによって構成することができる。
【０００９】
【発明の実施の形態】
以下、図面に示した実施例に基づいて本発明を詳細に説明する。
図１は、本発明のラペットの一実施例を示したものであり、同図の（ａ）はラペットを下方から見上げたものであり、同図の（ｂ）は見下ろしたものである。同図（ａ）において、ラペット１は、支持体としての丸棒または丸パイプからなる支軸２に嵌挿されるものであり、位置決めされた後に固定されるラペット支持部３と、このラペット支持部３を跨るようにして支軸２に嵌挿され、矢印Ａ方向に揺動するラペット可動部４を有している。ラペット可動部４は、ラペット支持部３に突出して形成された凸部３ａ及び３ｂ，３ｂによってその揺動範囲が規制されるようになっている。
【００１０】
上記したラペット可動部４の構成は基本的に従来の構成と同じものであり、先端側にスネールワイヤ５が取り付けられている。このスネールワイヤ５は、ねじ６とナット７との締め付けを緩めることにより矢印Ｂ方向に格納または繰り出すことができるようになっている。なお、図中符号４ａはスネールワイヤ５のガイドである。また、スネールワイヤ５のガイドは、図１の（ｃ）に示すように、絞められたラペット可動部４の先端に形成された溝４ｂで構成することもできる。  次に本発明の特徴部分であるラペット支持部について説明する。
【００１１】
ラペット支持部３は、支軸２に嵌挿される一対の円環状部３ｃ，３ｃと、それらの円環状部３ｃ同士を接続している板状部３ｄとを有し、円環状部３ｃと板状部３ｄはプレス加工によってコ字状に一体成形されている。また、板状部３ｄには支軸２の中心に向けて貫通孔３ｅが穿設されている。
【００１２】
図２に示すように、板状部３ｄ内面と支軸２の外周面２ａとの隙間であって上記貫通孔３ｅと対応する位置には、市販のＪＩＳ六角ナット（例えばJIS B 1181に規定されるＭ６ナット）８が配置されており、この六角ナット８には六角穴付き止めねじ（例えばJIS B 1177に規定されるＭ６ねじ）９が螺号され、そのねじ頭部は上記貫通孔３ｅの周縁とほぼ同じ高さとなっている。従って、その六角穴付き止めねじ（以下、止めねじと略称する）９を六角レンチを用いて締め付ければ、ラペット支持部３を支軸２に固定することができるようになっている。なお、六角ナット８はコ字状のラペット支持部３内に配置された際に、回転しない大きさのものが選択される。
【００１３】
図３は上記したラペット支持部３の形状を示したものであり、同図（ａ）は正面図、同図（ｂ）は平面図、同図（ｃ）は右側面図である。ラペット支持部３に支軸２嵌挿用の開口，止めねじ９挿通用の貫通孔３ｅが形成され、且つ揺動範囲を規制するための凸部３ａ，３ｂが形成されるように、鋼板をプレスによって打ち抜き、次いで同図（ｃ）に示されるようにプレスによってコ字状に折り曲げることによってラペット支持部３が得られる。上記各工程は、一つの金型プレス動作で打ち抜きと折り曲げを同時に実施することが好ましい。
【００１４】
次に、このような構成を有する本実施例の組立方法を図４を参照しながら説明する。なお、本実施例では、ラペット支持部３における一対の円環状部３ｃの間隔（内面同士の間隔）Ｗを１０mmとする。
【００１５】
ラペット可動部１の開口とラペット支持部３の開口とを一致させた状態で支軸２に嵌挿し、ラペット支持部３における板状部３ｄ内面と支軸外周面２ａとの隙間に六角ナット８を配置する。このとき、Ｍ６の六角ナット８を使用すれば、その寸法Ｃは１０mmであるから、上記１０mmの間隔に閉じ込められて回転できず実質的に固定された状態となる。次に、止めねじ９を貫通孔３ｅを通して六角ナット８に螺合させ、図示しない六角レンチで締め付ければ、ラペット支持部３が支軸２に固定される。
【００１６】
なお、本発明のラペット支持部３は、上記実施例ではプレス加工によって製作したが、これに限らずプラスチックを一体成形することによっても製作することができる。
また、本発明のナットは上記実施例ではＪＩＳ六角ナットで構成したが、これに限らず、四角ナットで構成することもできる。
【００１７】
また、本発明のスネールワイヤ可動部は上記実施例に限らず、図５に示すスクリューラック式のものを使用することができる。同図において、符号１０はスネールワイヤ可動部であり、スクリューラック１１をドライバを用いて回転させることによりスネールワイヤ５を繰り出しまたは格納することができるようになっている。
また、本発明は、スネールワイヤをラックによって前後方向に移動させる方式のものやスネールワイヤが固定式のものにも適用することができる。
【００１８】
【発明の効果】
以上説明したことから明らかなように、本発明によれば、鋳物等の無垢材を必要とせず、しかもタップ立て加工及び穴仕上げ加工が不要となるため、ラペットを容易に製作することができるとともにコストダウンを図ることができるという長所がある。
【図面の簡単な説明】
【図１】本発明の一実施例に係る斜視図である。
【図２】同実施例に係るラペット支持部の固定部を示す斜視図である。
【図３】同実施例に係るラペット支持部の形状を示す説明図である。
【図４】同実施例に係るラペット組立方法を示す説明図である。
【図５】スネールワイヤ可動部がスクリューラック式の場合を示す構成図である。
【図６】従来例のラペットの構成を示す斜視図である。
【符号の説明】
１  ラペット
２  支軸
３  ラペット支持部
３ａ，３ｂ  凸部
３ｃ  円環状部
３ｄ  板状部
４  ラペット可動部
５  スネールワイヤ
６  ねじ
７  ナット
８  六角ナット
９  止めねじ
【図１】
0003542671.tif 000002
【図２】
0003542671.tif 000003
【図３】
0003542671.tif 000004
【図４】
0003542671.tif 000005
【図５】
0003542671.tif 000006
【図６】
0003542671.tif 000007